(57)【要約】      （修正有）【課題】座った姿勢でも歩行中でも手を使うことなく傘を保持でき、またカバン等に限らず所定の箇所に、傘を倒れないよう保持でき、更には傘とカバン等の取付箇所との間隔を、容易且つ迅速に変更、調節でき、衣服を濡らすことがない傘ホルダーを提供する。【解決手段】一方の紐状部材１の端部に傘２を挟むクリップ部３を設ける。他方の紐状部材４の端部に取付箇所５との連結用の挟み止め具６を設ける。各紐状部材１、４を、自動巻き取り機構７を備えたケース８に巻回状に納め、少なくとも何れか片方の紐状部材をケースから引出し自在に形成する。【選択図】図１
0003199858.tif 000002
【実用新案登録請求の範囲】
【請求項１】
一方の紐状部材の端部に傘を挟むクリップ部が設けられ、他方の紐状部材の端部に取付箇所との連結用の挟み止め具が設けられ、各紐状部材が自動巻き取り機構を備えたケースに巻回状に納められていると共に、少なくとも何れか片方の紐状部材がケースから引出し自在に形成されていることを特徴とする傘ホルダー。
【請求項２】
請求項１記載の傘ホルダーであって、挟み止め具が、一対の挟み付け片を備えてクリップ状に形成され、挟み付け片の内側に、取付箇所との滑りを防止する滑り止め部が設けられていることを特徴とする傘ホルダー。
【請求項３】
請求項１又は２記載の傘ホルダーであって、自動巻き取り機構が、紐状部材を巻き取るためケースに内蔵されているゼンマイと、このゼンマイの復元力に抗して引き出された紐状部材の巻き戻しを停止したり、停止状態を解除するスイッチとを備えて形成されていることを特徴とする傘ホルダー。
【考案の詳細な説明】
【技術分野】
【０００１】
本考案は、傘ホルダーに関し、更に詳しくは電車やバス等の乗り物内や所定の場所で、傘を手で持つことなく保持できるよう形成した傘ホルダーに関する。
【背景技術】
【０００２】
従来、この種の傘ホルダーとしては、例えば特許文献１〜３に記載されているものがある。
特許文献１に記載の従来品は、傘を輪掛けして拘束するための締付ベルトと、傘を挿し込んで傘の上下位置を固定するための環状の部材とが帯状の基体に設けられ、またこの基体に、カバン等との連結具が設けられているものである。
【０００３】
従って、特許文献１に記載の従来品の場合は、使用するとき、傘を環状の部材に挿し込んだり、締付ベルトで締め付けたりする操作を伴った。
それ故、これによると、操作が面倒で、傘の固定に手間暇がかかり、使い勝手が悪い、という問題点があった。
【０００４】
また特許文献２、３に記載の従来品は、カバンの底にバンドが設けられ、このバンドで傘を固定する構造である。
従って、特許文献２、３に記載の従来品の場合は、バスや電車の座席に座ってカバンに傘を保持できるだけであり、カバン以外の携帯品や、例えばテーブルの天板等に傘を保持させることができない、という問題点があった。
【０００５】
また特許文献１〜３に記載の従来品の場合は、カバン等と傘との間隔を変更することができなかった。
従って、これらによると、座席に座って傘をホールドすると、カバンの直ぐ傍に傘が配置されたから、傘を伝わり落ちる水滴でズボン等の衣服を濡らすことがある、という問題点があった。
【先行技術文献】
【特許文献】
【０００６】
【特許文献１】特開２０００−１４４３７号公報
【特許文献２】実用新案登録第３１６５７８７号公報
【特許文献３】実開平６―７５２０号公報
【考案の概要】
【考案が解決しようとする課題】
【０００７】
本考案は、このような従来技術の問題点に鑑み、提案されたものである。
従って、本考案の解決しようとする技術的課題は、座った姿勢でも歩行中でも手を使うことなく傘を保持でき、またカバン等に限らず所定の箇所に、傘を倒れないよう保持でき、更には傘とカバン等の取付箇所との間隔を、容易且つ迅速に変更、調節でき、ズボン等の衣服を濡らすことがないよう形成した傘ホルダーを提供することにある。
【課題を解決するための手段】
【０００８】
本考案は、上記の課題を解決するために、次のような技術的手段を採る。
即ち、本考案は、図１等に示されるように、一方の紐状部材１の端部に傘２を挟むクリップ部３が設けられ、他方の紐状部材４の端部に取付箇所５との連結用の挟み止め具６が設けられ、各紐状部材１、４が自動巻き取り機構７を備えたケース８に巻回状に納められていると共に、少なくとも何れか片方の紐状部材１、４がケース８から引出し自在に形成されていることを特徴とする（請求項１）。
【０００９】
ここで、取付箇所５としては、例えばカバン等の携帯品、テーブルの天板９、或いは使用者の身体（衣服）等がある。また、ここで、少なくとも何れか片方の紐状部材１、４とは、紐状部材１、４の片方だけには限られず、紐状部材１、４の両方がケース８から引出し自在に形成されているのでも良い、ということを意味する。
【００１０】
而して、本考案の傘ホルダーは、上記の挟み止め具６が、一対の挟み付け片６ａを備えてクリップ状に形成され、挟み付け片６ａの内側に、取付箇所５との滑りを防止する滑り止め部６ｂが設けられているのが好ましい（請求項２）。
【００１１】
なぜならこれによると、取付箇所５に着脱する操作を簡単、迅速にでき、また滑ることなくしっかりと取り付けることができるからである。
【００１２】
また本考案は、上記の自動巻き取り機構７が、紐状部材１、４を巻き取るためケース８に内蔵されているゼンマイ７ａと、このゼンマイ７ａの復元力に抗して引き出された紐状部材１、４の巻き戻しを停止したり、停止状態を解除するスイッチ７ｂとを備えて形成されているのが好ましい（請求項３）。
【００１３】
なぜならこれによると、簡単、安価な構造で紐状部材１、４の引き出しや、巻き取りを実現できるからである。
【考案の効果】
【００１４】
本考案の傘ホルダーは、このように一方の紐状部材の端部に傘を挟むクリップ部が設けられ、他方の紐状部材の端部に取付箇所との連結用の挟み止め具が設けられている。
【００１５】
従って、本考案によれば、クリップ部と挟み止め具を利用することで、傘を、カバンや身体等の取付箇所に簡単、迅速に保持できる。またこれによれば、座った姿勢でも歩行中でも、手を使うことなく、傘を倒れないように保持できる。
【００１６】
また本考案は、自動巻き取り機構を備えたケースに紐状部材が巻回状に納められていると共に、少なくとも何れか片方の紐状部材がケースから引出し自在に形成されている。
【００１７】
従って、本考案は、カバン等の取付箇所と傘との間隔を、容易且つ迅速に変更、調節できる。それ故、これによれば、例えば傘を衣服から離して保持できるから、ズボン等の衣服を濡らすことなく傘を保持できる。
【図面の簡単な説明】
【００１８】
【図１】本考案の傘ホルダーの好適な一実施形態を示す斜視図である。
【図２】同上傘ホルダーの平面図である。
【図３】同上傘ホルダーの正面図である。
【図４】同上傘ホルダーの一部を切欠した平面図である。
【図５】図４のＶ―Ｖ線における断面図である。
【図６】自動巻き取り機構を説明するための要部平面図である。
【図７】自動巻き取り機構を説明するための要部平面図である。
【図８】本考案品の使用状態を説明するための要部斜視図である。
【図９】本考案品の他の実施形態を示す要部平面図である。
【図１０】図９の本考案品の要部正面図である。
【考案を実施するための形態】
【００１９】
以下、本考案の好適な一実施形態を、添付図面に従って説明する。
本考案の傘ホルダーは、図１等に示されるように、一方の紐状部材１の端部に傘２を挟むクリップ部３が設けられ、他方の紐状部材４の端部に取付箇所５との連結用の挟み止め具６が設けられている。
【００２０】
クリップ部３は、図３に示されるように、根元に設けられているバネ３ａで、挟み片３ｂが洗濯バサミ状に開閉可能に形成されている。挟み片３ｂは、先端が櫛歯状に形成され、一方の挟み片３ｂと他方の挟み片３ｂの先端が、互いの隙間に入り込んで傘２を両側からしっかりと掴み持つよう形成されている。
なお、取付箇所５は、この実施形態では膝に抱えたカバンの取っ手である。
【００２１】
また挟み止め具６は、一対の挟み付け片６ａを備えてクリップ状に形成されている。そして、図３に示されるように、挟み付け片６ａの内側に、取付箇所５との滑りを防止する滑り止め部６ｂが設けられている。
【００２２】
また紐状部材１、４は、自動巻き取り機構７を備えたケース８に巻回状に納められていると共に、少なくとも何れか片方の紐状部材１、４がケース８から引出し自在に形成されている。この実施形態では、紐状部材１、４の両方がケース８から引出し自在に形成されている。
【００２３】
上記の自動巻き取り機構７は、図４、図５等に示されるように、紐状部材１、４を巻き取るためケース８に内蔵されているゼンマイ７ａと、このゼンマイ７ａの復元力に抗して引き出された紐状部材１、４の巻き戻しを停止したり、停止状態を解除するスイッチ７ｂとを備えて形成されている。
【００２４】
ゼンマイ７ａは、円形の仕切り７ｃ内に、基端が固定されて巻回状に納められ、この実施形態ではケース８内に軸心を同一にして上下二段状に設けられている。また紐状部材１、４は、その基端が仕切り７ｃの外周に取り付けられて仕切り７ｃに巻回状に外装され、端部がケース８から露出されている。そして、この実施形態では上側の仕切り７ｃに巻かれている紐状部材１の端部にクリップ部３が、下側の仕切り７ｃに巻かれている紐状部材４の端部に挟み止め具６が設けられている。
【００２５】
またスイッチ７ｂは、図３等に示されるように、ケース８の中心位置の表裏に夫々配置され、コイルスプリング７ｄ（図５参照）の弾発力でケース８の外側に弾発され、鍔状部７ｂ１がケース８の内面に当たって係止するよう形成されている。
【００２６】
また図６、図７に示されるように、スイッチ７ｂは、鍔状部７ｂ１の直径線上に延びるよう１８０度隔てて鍔状部７ｂ１と一体状の突き出し片７ｂ２を備えて形成されている。この突き出し片７ｂ２は、長手方向に沿った一方側の上面７ｂ２１が突き出し片７ｂ２の突き出し方向と直交する方向に下り傾斜状に形成されている。
【００２７】
円形の仕切り７ｃの内側には、１８０度隔てて平面視で三角形の板状の出っ張り部７ｃ１が形成されている（図６参照）。使用者が、紐状部材１、４をゼンマイ７ａの復元力に抗して引き出すと、仕切り７ｃと一緒に出っ張り部７ｃ１が回転する。
【００２８】
そして、出っ張り部７ｃ１は、その下面が突き出し片７ｂ２の一方側の上面７ｂ２１に摺接しながら突き出し片７ｂ２を乗り越えて回転する。また使用者が、紐状部材１、４の引き出し操作を停止すると、引き延ばされたゼンマイ７ａの復元力で紐状部材１、４が巻き戻され、図７に示されるように、突き出し片７ｂ２の他方側の厚肉部７ｂ２２の側端面に出っ張り部７ｃ１の一辺が当たって係止する。
【００２９】
その結果、紐状部材１、４は、巻き戻しが防止され、引き出された長さで配置される。この状態で使用者は、クリップ部３を傘２に、挟み止め具６を、例えばカバンの取っ手に固定する。
【００３０】
また紐状部材１、４を巻き取るときは、スイッチ７ｂをコイルスプリング７ｄの弾発力に抗して押す。すると、厚肉部７ｂ２２が下がって、出っ張り部７ｃ１との係止状態が解かれる。その結果、ゼンマイ７ａの復元力で円形の仕切り７ｃが復元方向に回り、紐状部材１、４が仕切り７ｃの外周縁に巻き取られる。このように使用者は、スイッチ７ｂを押したり離したりして取付箇所５としてのカバンと傘２との間隔を調節する。
【００３１】
以上の処において、取付箇所５としては、図８に示されるように、テーブルの天板９等でも良い。
【００３２】
また上例では自動巻き取り機構７がケース８の上下に二段状に設けられているが、本考案はこれに限定されるものではない。即ち、本考案は、例えば図９、図１０に示されるように、ケース８を上から見てその左右位置に自動巻き取り機構７が設けられているのでも良い。この場合は、ケース８を薄くできる、という利点がある。
【符号の説明】
【００３３】
１    一方の紐状部材
２    傘
３    クリップ部
４    他方の紐状部材
５    取付箇所
６    挟み止め具
７    自動巻き取り機構
８    ケース
【図１】
0003199858.tif 000003
【図２】
0003199858.tif 000004
【図３】
0003199858.tif 000005
【図４】
0003199858.tif 000006
【図５】
0003199858.tif 000007
【図６】
0003199858.tif 000008
【図７】
0003199858.tif 000009
【図８】
0003199858.tif 000010
【図９】
0003199858.tif 000011
【図１０】
0003199858.tif 000012